(57)【要約】【課題】本発明は、同一形状のアッパーナックルとロアナックルとを用いて、アッパーナックルのロアナックルに対する傾動角度を複数の異なる角度に設定できるシートのリクライニング装置及びその製造方法の提供を目的とする。【解決手段】ロアナックル１と、アッパーナックル２と、ロアナックル１に対して前方側へのアッパーナックル２の傾動を規制する当て止め部材３ａとを備える。当て止め部材３ａは、ロアナックル１に保持された軸部３１と、アッパーナックル２と当接する当接部３２を備える。当接部３２は、外周に、軸部３１からの距離が異なる４つの設定当接部３２ａ〜３２ｄを備え、これらの設定当接部３２ａ〜３２ｄは、軸部３１が保持される際に、４つの内から選択された一つの設定当接部３２ａ〜３２ｄがアッパーナックル２と当接可能に配置されるように構成されている。【選択図】図５
2014162236.tif 000002
【特許請求の範囲】
【請求項１】
シートクッションに固定されるロアナックルと、シートバックに固定され前記ロアナックルと前方側及び後方側に傾動可能に連結されたアッパーナックルとを備えたシートのリクライニング装置であって、
前記ロアナックルに対して前方側と後方側との少なくとも一方側への前記アッパーナックルの傾動を規制する傾動規制手段を備え、
前記傾動規制手段は、前記ロアナックルと前記アッパーナックルとの何れか一方に配設された当て止め部材を備え、
前記当て止め部材は、前記何れか一方に固定的に保持された被保持部と、前記何れか他方と当接する当接部とを備え、
前記当接部は、前記被保持部からの距離が異なる複数の設定当接部を備え、
前記複数の設定当接部は、前記被保持部が前記何れか一方に保持される際に、前記複数の内から選択された一つの設定当接部が前記何れか他方に当接可能に配置されるように構成されていることを特徴とするシートのリクライニング装置。
【請求項２】
前記当て止め部材は、軸部と、前記軸部の一端に配設され外周に複数の面を有する略多角形状の頭部とを備え、
前記被保持部は、前記軸部であり、
前記当接部は、前記の頭部の外周であり、
前記複数の設定当接部は、前記複数の面であることを特徴とする請求項１記載のシートのリクライニング装置。
【請求項３】
前記被保持部は、前記頭部の断面形状と略同一又は略相似形状の断面形状を有することを特徴とする請求項２記載のシートのリクライニング装置。
【請求項４】
シートクッションに固定されるロアナックルとシートバックに固定され前記ロアナックルと前方側及び後方側に傾動可能に連結されるアッパーナックルとの何れか一方に保持される被保持部及び前記何れか他方に当接する複数の設定当接部を有する当接部を備えた当て止め部材を用いて行うシートのリクライニング装置の製造方法であって、
前記複数の内から一つの設定当接部を選択して前記何れか他方と当接し得るように前記何れか一方に前記被保持部を固定的に保持させることを特徴とするシートのリクライニング装置の製造方法。
【発明の詳細な説明】
【技術分野】
【０００１】
本発明は、シートのリクライニング装置及びその製造方法に関するものである。
【背景技術】
【０００２】
従来から、シートクッションのロアナックルにシートバックのアッパーナックルがロック機構を介して前後両側に傾動可能に連結されたシートのリクライニング装置が知られている。このようなリクライニング装置として、例えば特許文献１に開示されたものがある。この装置は、シートバック（アッパーナックル）のシートクッション（ロアナックル）に対する前後傾動角度を規制するために、ロアナックルに設けたエクスターナルブラケットの前端部と後端部とに固定ストッパー部を形成すると共に、アッパーナックルに、前記固定ストッパー部のそれぞれに当て止めされる可動ストッパー部を形成したものである。
【先行技術文献】
【特許文献】
【０００３】
【特許文献１】特公平４−６４２４６号
【発明の概要】
【発明が解決しようとする課題】
【０００４】
ところで、例えばアッパーナックルのロアナックルに対する前方側若しくは後方側への傾動角度は、シートを設置する車種等に応じて異なる傾動角度に設定される場合も多い。
【０００５】
しかし、特許文献１に記載の発明のように、ロアナックルのエクスターナルブラケットとアッパーナックルとにストッパー部を形成すると、異なる傾動角度にするためには、異なる傾動角度になるように設定したエクスターナルブラケットとアッパーナックルとを使用しなければならない。その結果、車種等に応じて異なる傾動角度に設定したエクスターナルブラケットとアッパーナックルとを製作しておき、シートを組み付ける際に、車種等に応じて異なる傾動角度に設定したものを使用しなければならず、製造作業が複雑化するとともに製造コストが高くついてしまうという問題点がある。
【０００６】
本発明は、同一形状のアッパーナックルとロアナックルとを用いて、アッパーナックルのロアナックルに対する傾動角度を複数の異なる角度に設定できるシートのリクライニング装置及びその製造方法の提供を目的とする。
【課題を解決するための手段】
【０００７】
上記課題を解決するため、本発明は、シートクッションに固定されるロアナックルと、シートバックに固定され前記ロアナックルと前方側及び後方側に傾動可能に連結されたアッパーナックルとを備えたシートのリクライニング装置であって、前記ロアナックルに対して前方側と後方側との少なくとも一方側への前記アッパーナックルの傾動を規制する傾動規制手段を備え、前記傾動規制手段は、前記ロアナックルと前記アッパーナックルとの何れか一方に配設された当て止め部材を備え、前記当て止め部材は、前記何れか一方に固定的に保持された被保持部と、前記何れか他方と当接する当接部とを備え、前記当接部は、前記被保持部からの距離が異なる複数の設定当接部を備え、前記複数の設定当接部は、前記被保持部が前記何れか一方に保持される際に、前記複数の内から選択された一つの設定当接部が前記何れか他方に当接可能に配置されるように構成されていることを特徴とするシートのリクライニング装置を提供する。
【０００８】
これによれば、ロアナックルとアッパーナックルとの何れか一方に、被保持部からの距離が異なる複数の設定当接部の内から選択された一つの設定当接部を何れか他方に当接可能に配置するようにして、被保持部を固定的に保持させることにより、アッパーナックルのロアナックルに対する傾動角度を、複数の設定当接部の分だけ、設定できる。従って、同じアッパーナックルとロアナックルとを用いて車種等に応じてアッパーナックルのロアナックルに対する傾動角度を異なるものにして組み付けることができ、リクライニング装置を簡単に製造できるとともに低コストで製造できる。
【０００９】
上記シートのリクライニング装置において、前記当て止め部材は、軸部と、前記軸部の一端に配設され断面形状が多角形状の頭部とを備え、前記被保持部は、前記軸部であり、前記当接部は、前記頭部の外周であり、前記複数の設定当接部は、前記外周の複数の面である構成とすることが好ましい。
【００１０】
これによれば、外周の複数の面の内から選択した一つの面を何れか他方に当接可能に配置すればよく、より簡単に製造できる。
【００１１】
上記シートのリクライニング装置において、前記被保持部は、前記頭部の断面形状と略同一又は略相似形状の断面形状を有する構成とすることが好ましい。
【００１２】
これによれば、外周の複数の面の内から選択した一つの面を何れか他方に当接可能に配置した状態で、当て止め部材をロアナックルとアッパーナックルとの何れか一方に容易に保持させることができ、より一層、簡単に製造できる。
【００１３】
又、本発明は、シートクッションに固定されるロアナックルとシートバックに固定され前記ロアナックルと前方側及び後方側に傾動可能に連結されるアッパーナックルとの何れか一方に保持される被保持部及び前記何れか他方に当接する複数の設定当接部を有する当接部を備えた当て止め部材を用いて行うシートのリクライニング装置の製造方法であって、前記複数の内から一つの設定当接部を選択して前記何れか他方と当接し得るように前記何れか一方に前記被保持部を固定的に保持させることを特徴とするシートのリクライニング装置の製造方法を提供する。
【００１４】
これによれば、アッパーナックルのロアナックルに対する傾動角度を、複数の設定当接部の分だけ、設定できる。従って、同じアッパーナックルとロアナックルとを用いて車種等に応じてアッパーナックルのロアナックルに対する傾動角度を異なるものにて組み付けることができ、リクライニング装置を簡単に製造できるとともに低コストで製造できる。
【発明の効果】
【００１５】
本発明のリクライニング装置及びその製造方法は、同一形状のアッパーナックルとロアナックルとを用いて、アッパーナックルのロアナックルに対する傾動角度を複数の異なる角度に設定できる。
【図面の簡単な説明】
【００１６】
【図１】本発明のリクライニング装置の側面図である。
【図２】図１のリクライニング装置の断面図である。
【図３】図１のリクライニング装置の分解斜視図である。
【図４】（ａ）は、当て止め部材の平面図、（ｂ）は、その側面図である。
【図５】当て止め部材の当接部にアッパーナックルの被当接部を当接させた状態の拡大した説明図である。
【図６】（ａ）は、他の実施形態の当て止め部材の平面図、（ｂ）は、その側面図である。
【発明を実施するための形態】
【００１７】
以下、本発明を実施するための形態について、図面を参照しながら詳細に説明する。図１は、本発明のリクライニング装置の側面図、図２は、図１のリクライニング装置の断面図、図３は、図１のリクライニング装置の分解斜視図である。
【００１８】
本発明のリクライニング装置１０は、図１〜図３に示すようにアッパーナックル２と、ロアナックル１と、傾動規制手段とを備えている。
【００１９】
アッパーナックル２は、アッパーナックル本体２１と、外ギヤ４を有するインターナルブラケット５と、ロアナックル１を回動操作する操作ダイヤル軸８とを備えている。
【００２０】
アッパーナックル本体２１は、その前側面に、後述の傾動規制手段の前傾動規制用の当て止め部材３ａに当て止めされる被当て止め部２１ａを備え、その後側面に、後述の傾動規制手段の後傾動規制用の当て止め部材３ｂに当て止めされる被当て止め部２１ｂを備えている。
【００２１】
インターナルブラケット５は、アッパーナックル本体２１にかしめピン９で一体的に固定されている。
【００２２】
操作ダイヤル軸８は、インターナルブラケット５の外ギヤ４の中心部に、回動不能に連結されている。
【００２３】
ロアナックル１は、ロアナックル本体１１と、インターナルブラケット５の外ギヤ４と噛合する内ギヤ６を有するエクスターナルブラケット１７とを備えている。
【００２４】
エクスターナルブラケット１７の内ギヤ６は、インターナルブラケット５の外ギヤ４の歯数よりも多い歯数に設定されている。
【００２５】
ロアナックル本体１１は、左上部に、後述の前傾動規制手段の当て止め部材３ａを嵌挿して保持する被保持部としての前嵌挿孔１２ａを備え、右上部に、後述の後傾動規制手段の当て止め部材３ｂを嵌挿して保持する保持部としての後嵌挿孔１２ｂを備えている。
【００２６】
エクスターナルブラケット１７は、ロアナックル本体１１にかしめピン７で一体的に固定されている。
【００２７】
このように構成されたアッパーナックル２とロアナックル１とは、外ギヤ４と内ギヤ６とが噛合した状態で組み付けられ、操作ダイヤル軸８が回転操作されることにより、両ギヤ４、６の噛み合い位置を変えて、アッパーナックル２でそのアッパーナックル２が取り付けられたシートバックが前後傾動する。また、両ギヤ４，６は歯数を変えてあるので、操作ダイヤル軸８を回転操作しない限り、アッパーナックル２が前後傾動しないよう自動的にロックされるという特性を有している。
【００２８】
次に、傾動規制手段について説明する。傾動規制手段は、当て止め部材３ａ、３ｂを備えている。この実施形態の当て止め部材は、前傾動規制用の当て止め部材３ａと、後傾動規制用の当て止め部材３ｂとの２つを備えている。これらは、互いに同一構成を採っており、以下に、前傾動規制用の当て止め部材３ａについて説明し、後傾動規制用の当て止め部材３ｂの説明を省略する。
【００２９】
前傾動規制用の当て止め部材３ａは、図４に示すように、軸部（被保持部）３１と、軸部３１の一端に配設された当接部３２とを備えている。
【００３０】
軸部３１は、断面形状が正方形状を呈し、外周に第１軸面３１ａ〜第４軸面３１ｄの４つの面を有する。
【００３１】
当接部３２は、外周に、軸部３１からの距離が異なる複数の設定当接部３２ａ〜３２ｄを備えている。この実施形態では、当接部３２は、断面形状が軸部３１の断面形状と略相似形の略正方形状を呈し、軸部３１の第１軸面３１ａ〜第４軸面３１ｄのそれぞれに対応する第１設定当接部３２ａ〜第４設定当接部３２ｄの４つの設定当接部を備えている。
【００３２】
又、この実施形態では、当接部３２は、その軸心Ｏ１が軸部３１の軸心Ｏ２と距離を持って形成され、これにより、第１軸面３１ａから第１設定当接部３２ａまでの距離Ｌ１、第２軸面３１ｂから第２設定当接部３２ｂまでの距離Ｌ２、第３軸面３１ｃから第３設定当接部３２ｃまでの距離Ｌ３、第４軸面３１ｄから第４設定当接部３２ｄまでの距離Ｌ４が互いに異なるように形成されている。
【００３３】
この実施形態では、上記距離Ｌ１、上記距離Ｌ２、上記距離Ｌ３、上記距離Ｌ４の順に小さくなっている（Ｌ１＞Ｌ２＞Ｌ３＞Ｌ４）。
【００３４】
このように構成された前傾動規制用の当て止め部材３ａは、軸部３１が前嵌挿孔１２ａに嵌挿されることにより、第１設定当接部３２ａ〜第４設定当接部３２ｄのいずれかが図５の側面視で左斜め上方を向き、アッパーナックル本体２１の被当て止め部２１ａと当接可能に配設される。
【００３５】
そして、第１設定当接部３２ａ〜第４設定当接部３２ｄがそれぞれ、被当て止め部２１ａと当接可能に配設されてアッパーナックル２の被当て止め部２１ａが当接した状態におけるアッパーナックル本体２１の鉛直線Ｐに対するそれぞれの傾動角度α１〜α４は、第１設定当接部３２ａに当接した状態の傾動角度α１が最も小さく、傾動角度α２、傾動角度α３、傾動角度α４の順次大きくなる。
【００３６】
次に、このリクライニング装置の製造方法について説明する。ロアナックル１のロアナックル本体１１の前嵌挿孔１２ａに、前傾動規制用の当て止め部材３ａの軸部３１を嵌挿する。その嵌挿に際しては、第１設定当接部３２ａ〜第４設定当接部３２ｄの内から１つを選択し、その選択したものをアッパーナックル本体２１の被当て止め部２１ａと当接するように、右斜め上方を向くように嵌挿する。
【００３７】
この選択は、例えば車種等に応じて設定されているアッパーナックルの傾動角度に適合するように行う。これにより、車種等に応じてアッパーナックル２の傾動角度α１〜α４を設定できる。
【００３８】
その後、嵌挿孔１２に嵌挿した軸部３１と、ロアナックル本体１１とを、溶接等の固定手段によって固定する。
【００３９】
同様に、ロアナックル１のロアナックル本体１１の後嵌挿孔１２ｂに、後傾動規制用の当て止め部材３ｂの第１設定当接部３２ａ〜第４設定当接部３２ｄの内から１つを選択し、その選択したものをアッパーナックル本体２１の被当て止め部２１ｂと当接するように、軸部３１を左斜め上方を向くように嵌挿して溶接等の固定手段によって固定する。
【００４０】
そして、インターナルブラケット５の外ギヤ４とエクスターナルブラケット１７の内ギヤ６とを噛合させた状態で、インターナルブラケット５を、アッパーナックル本体２１にかしめピン９で固定し、エクスターナルブラケット１７をロアナックル本体１１にかしめピン７で固定する。
【００４１】
尚、当て止め部材３ａ、３ｂのロアナックル本体１１への取り付けは、この実施形態では、インターナルブラケット５とアッパーナックル本体２１との固定及びエクスターナルブラケット１７とロアナックル本体１１との固定の前に行ったが、それらの固定後に行ってもよく、適宜変更できる。
【００４２】
以上により、同一のロアナックル１とアッパーナックル２とを用いて、車種等に応じてアッパーナックル２の傾動角度を設定して、リクライニング装置を製造できる。
【００４３】
又、以上のようにして製造されたリクライニング装置は、ロアナックル本体１１がシートのシートクッションにリベット等を介して固定的に取り付けられ、アッパーナックル本体２１がシートのシートバックにリベット等を介して固定的に取り付けられ、これにより、リクライニング装置がシートに装着される。
【００４４】
尚、上記実施形態では、当て止め部材は、前傾動規制用の当て止め部材３ａと、後傾動規制用の当て止め部材３ｂとの２つから構成されたが、前傾動規制用の当て止め部材３ａと後傾動規制用の当て止め部材３ｂとのいずれかの１つから構成されてもよく、適宜変更できる。
【００４５】
又、上記実施形態では、当て止め部材３ａ、３ｂの当接部３２は、断面形状が略正方形状の頭部から構成されたが、この形態のものに限らず、適宜変更できる。例えば断面形状が略３角形状、略５角形状、略６角形状等の多角形状、或いは、楕円形状でもよい。
【００４６】
さらには、図６（ａ）（ｂ）に示すように、当て止め部材１０３の当接部１３２は、円形状のものとされ、軸部１３１からの距離が周方向に異なるように形成されたものでもよい。そして、例えば図６（ａ）に示すように、当接部１３２の周方向に沿う複数個所（図６（ａ）では、８箇所）に、傾動角度に予め対応させて設定した記号（図中のＡ〜Ｈ）を明記しておけば記号に基いて複数の異なる傾動角度に設定できる。
【００４７】
又、上記実施形態では、当て止め部材３ａ、３ｂの軸部３１は、断面形状が略正方形状のものから構成されたが、例えば断面形状が円形状のものでもよい。又、図６（ａ）（ｂ）に示すように当接部１３２を円形状のものとし、軸部１３１も断面形状が円形状のものとしてもよい。
【符号の説明】
【００４８】
１      ロアナックル
２      アッパーナックル
３ａ、３ｂ    当て止め部材
３１、１３１    軸部（被保持部）
３２、１３２    当接部
３２ａ    第１設定当接部
３２ｂ    第２設定当接部
３２ｃ    第３設定当接部
３２ｄ    第４設定当接部
【図１】
2014162236.tif 000003
【図２】
2014162236.tif 000004
【図３】
2014162236.tif 000005
【図４】
2014162236.tif 000006
【図５】
2014162236.tif 000007
【図６】
2014162236.tif 000008